(57)【要約】【課題】メダル払出口及びメダル受けをメダル投入口と同じ機器中段の操作部に設けた場合にも、メダル搬送構造の複雑化を回避でき、遊技機価格の低減及び店員の負担軽減を可能にする回動式遊技機を提供する。【解決手段】遊技機中段の操作部２６にメダル投入口２６ａと共にメダル払出口２６ｄ及びメダル受け２６ｂを設ける。これらより上方の機体内部にメダル払出装置付きのホッパー２０Ｃを設ける。メダル受け２６ｂをメダル投入口２６ａと同等の高い位置に設けると共に、そのメダル受け２６ｂに重力を利用してスムーズにメダルの払出を行う。【選択図】図１
2008093422.tif 000002
【特許請求の範囲】
【請求項１】
メダルが賭けられた状態でスタートレバーが操作されることにより図柄変動ゲームが開
始され、ストップボタン操作により図柄変動が停止したときに有効ライン上に成立した図
柄パターンに応じてメダルが払い出される回胴式遊技機において、
当該遊技機の機体正面にメダル投入口及びメダル払出口が設けられると共に、前記メダ
ル投入口及びメダル払出口より上方の機体内部に、払出メダルのストック及び払い出しを
行う払出装置付きホッパーが設けられていることを特徴とする回動式遊技機。
【請求項２】
請求項１に記載の回胴式遊技機において、
メダル払出口から排出されるメダルを貯留するカップ状のメダル受けが、メダル排出口
に連続して設けられている回動式遊技機。
【請求項３】
請求項２に記載の回胴式遊技機において、
前記メダル投入口、メダル払出口及びメダル受けは、共に機体正面中段の操作部に設け
られている回胴式遊技機。
【請求項４】
請求項３に記載の回動式遊技機において、
機体正面の中段から上にかけての部分が上方に向かって背面側に傾斜しており、その傾
斜正面の下部に前記操作部が形成されている回動式遊技機。
【請求項５】
請求項４に記載の回動式遊技機において、
前記傾斜正面の下部が側面からみて正面側へ三角形状に突出しており、その突出部の上
面に前記操作部が形成されている回動式遊技機。
【請求項６】
請求項３に記載の回胴式遊技機において、
前記メダル受けは、メダル投入口の近傍に横長に設けられている回動式遊技機。
【請求項７】
請求項１に記載の回胴式遊技機において、
前記ホッパーは、払出メダルを重力により前記メダル払出口へ搬送する構成である回胴
式遊技機。
【請求項８】
請求項１に記載の回胴式遊技機において、
回胴遊技に関する各種映像演出や所要の情報の告知を行うフラット・パネル・ディスプ
レイからなる表示演出装置が機体正面に設けられており、前記ホッパーは、当該表示演出
装置の裏側に配置されている回胴式遊技機。
【請求項９】
請求項８に記載の回動式遊技機において、
前記表示演出装置より上方の機体内に、図柄変動ゲーム用のドラム部が設けられている
回動式遊技機。
【請求項１０】
請求項１に記載の回胴式遊技機において、
前記メダル投入口より下方の機体内部に、メダル投入口から投入されたメダルを貯留す
るメタルタンクが脱着可能に設けられている回動式遊技機。
【発明の詳細な説明】
【技術分野】
【０００１】
本発明は、一般にパチスロ機と称される回胴式遊技機に関し、更に詳しくは、機内での
メダルの損傷及び詰まりを可及的に抑制できる回胴式遊技機に関する。
【背景技術】
【０００２】
近年、パチンコ機だけではなく、パチスロ機と称される回胴式遊技機を用いた遊技が、
パチンコホールやパチスロ専用ホールで盛んに行われている。
【０００３】
この遊技においては、遊技者がメダルを所定枚数投入後、スタートレバーを操作すると
、複数個の回転ドラムが回転し、次いで遊技者が回転ドラムに対応して設けられた複数個
の押しボタン式のストップスイッチを操作して回転ドラムを停止させる。そして、有効ラ
イン上に当たりとなる特定図柄が揃えば、その役に応じた枚数のメダルを獲得することが
できる。
【０００４】
その特定図柄として、例えば赤７図柄、または青７図柄が有効ライン上に揃った場合に
は、通常ゲームモードから、遊技者にとって最も有利なゲームモードであるビッグボーナ
スゲームモード（ＢＢゲームモード）に突入する。このビッグボーナスゲーム（ＢＢゲー
ム）においては、小役ゲームが所定回数消化されるか又はレギュラーボーナスゲーム（Ｒ
Ｂゲーム）が所定回数実行されるまで継続するが、その間、メダルが払い出される役が頻
繁に当選する結果、３００枚〜７００枚程度という大量のメダルを獲得することができる
。
【０００５】
また、特定図柄として、例えばバー図柄が有効ライン上に揃った場合には、ＲＢゲーム
が１回だけ実行される。この場合もメダルが払い出される役が頻繁に当選する結果、ＢＢ
ゲームには及ばないものの多数のメダルを獲得できる。
【０００６】
このように、パチスロ機と称される回胴式遊技機では、メダルを媒体として図柄変動ゲ
ームが続けられる。機内におけるメダルの移動経路は以下のとおりである。
【０００７】
回動式遊技機の筐体正面を覆う前扉の、最も操作しやすい部分である中段部正面に、メ
ダル投入口が、スタートレバーやストップボタンなどと共に設けられている。メダル投入
口から機内に投入されたメダルは、筐体の下部内に設けられたホッパーに投入される。ホ
ッパーは、投入されたメダルをストックすると共に、役が成立したときにその役に対応す
る所定枚数のメダル払い出すメダル払出装置を下部に装備しており、その払出装置から前
扉に設けられたメダル払出口にメダルの払出を行う。払出口から排出されたメダルは、払
出口に連続して設けられたカップ状のメダル受けに貯留される。
【０００８】
ホッパーが筐体の下部内に設けられるのは、この部分に空間的な余裕があること、メダ
ル投入口から投入されたメダルが重力を利用してホッパーに搬送され、機械的構造が簡略
化されることなどが理由である。そして、ホッパーが筐体の下部内に設けられるために、
メダル払出口及びメダル受けは、前扉の最下部に設けられることになる。
【０００９】
このような構造の回動式遊技機では、遊技者は、メダル受けに溜まったメダルを逐次取
り出してメダル投入口から機内に投入するが、メダル受けが前扉の最下部にあるため、遊
技者から見ずらい上に、メダル投入口から離れている。これらのために、メダル受けから
メダルを取るときに手さぐりとなり、しばしばメダルを落とす。またメダル投入口へメダ
ルを投入するときにメダルを入れ損ねることもある。
【００１０】
このような問題のため、一部の回動式遊技機では、メダル払出口及びメダル受けが、前
扉の最も操作しやすい中段部正面に、メダル投入口などと共に設けられている。この構造
（前扉中段の操作部にメダル受けを設ける構造）により、メダル受けに溜まったメダルを
取り出してメダル投入口から機内へ再投入する操作は、非常に簡単かつ確実になり、楽に
もなる。その一方、機内では、メダル投入口から機内に投入されたメダルが、筐体の下部
内に設けられたホッパーに貯留される。ホッパーは中段部のメダル払出口より低い位置に
あるため、ホッパー内のメダルをメダル払出口から排出するには、ホッパー内のメダルを
メダル払出口よりも高い位置まで搬送するメダル押し上げ機構が必要になる。また、高位
置まで搬送されたメダルを成立役に応じてメダル払出口から払い出すために、メダル払出
装置をホッパーから分離してメダル払出口よりも高い位置に設けることが必要になる（特
許文献１参照）。
【特許文献１】特開２０００−１６７２２８号公報  このような、操作部にメダル払出口及びメダル受けが設けられた従来の回動式遊技機では、機内のメダル押し上げ機構及びホッパーに関連して次のようなことが問題になっている。
【００１１】
メダル払出装置がホッパーから分離して上方に配置され、両者の間をメダル押し上げ機
構で連結する構造が必要となる。このため、遊技機の構造、特にメダル搬送構造が複雑化
し、遊技機価格が高くなる。また、長いメダル押し上げ機構で頻繁にメダルが詰まり、そ
の都度、店員が前扉をあけて詰まりを解消する作業が必要となり、店員の負担が増大する
。長いメダル押し上げ機構をメダルが頻繁に移動することにより、メダルの磨耗、変形が
発生し、その磨耗、変形はメダル押し上げ機構でのメダル詰まりを更に増長する結果とな
る。
【発明の開示】
【発明が解決しようとする課題】
【００１２】
本発明の目的は、メダル払出口及びメダル受けをメダル投入口と同じ機器中段の操作部
に設けた場合にも、メダル搬送構造の複雑化を回避でき、遊技機価格の低減及び店員の負
担軽減を可能にする回動式遊技機を提供することにある。
【課題を解決するための手段】
【００１３】
上記目的を達成するために、本発明の回胴式遊技機は、メダルが賭けられた状態でスタ
ートレバーが操作されることにより図柄変動ゲームが開始され、ストップボタン操作によ
り図柄変動が停止したときに有効ライン上に成立した図柄パターンに応じてメダルが払い
出される回胴式遊技機において、当該遊技機の機体正面にメダル投入口及びメダル払出口
が設けられると共に、前記メダル投入口及びメダル払出口より上方の機体内部に、払出メ
ダルのストック及び払い出しを行う払出装置付きホッパーが設けられた構成を採用してい
る。
【００１４】
本発明の回胴式遊技機においては、メダル投入口及びメダル払出口より上方の機体内部
に払出装置付きホッパーが設けられている。この上部ホッパー構造のため、メダル払出口
をメダル投入口と同じ機体正面中段の操作部に設けた場合にも、ホッパーからそのメダル
払出口へメダルを重力により直接搬送することが可能となり、メダル押し上げ機構が不要
になる。
【００１５】
機体正面には、メダル払出口から排出されるメダルを貯留するカップ状のメダル受けが
メダル投入口に連続して設けられる。そのメダル受けは、メダルの取り出し操作及び投入
操作を容易ならしめる観点から、メダル投入口と同じ機体正面中段の操作部、特にメダル
投入口の近傍、特にメダル投入口の側方又は下方に設けるのが好ましく、機体の両側部を
除く部分に横長に設けるのが特に好ましい。
【００１６】
その操作部については、機体正面の中段から上にかけての部分を上方に向かって背面側
に傾斜させ、その傾斜正面の下部に前記操作部を形成するのが、操作性の点から好ましく
、傾斜正面の下部を側面からみて正面側へ三角形状に突出させて突出部の上面に形成する
のが特に好ましい。
【００１７】
機体正面には、一般に回胴遊技に関する各種映像演出や所要の情報の告知を行うフラッ
ト・パネル・ディスプレイからなる表示演出装置が設けられている。この表示演出装置は
厚みが薄く、裏側に大きな空間的余裕を与える。前記ホッパーはこの表示演出装置裏側の
余裕のある空間に設けるのが、機内空間の有効利用の点から好ましい。
【００１８】
図柄変動ゲーム用のドラム部は、通常は前記表示演出装置の下側に配置される。すなわ
ち、スタートレバーやストップボタン、メダル投入口等が設けられた操作部の上にドラム
部が設けられ、その上に表示演出装置が設けられる。しかし、表示演出装置の裏側にホッ
パーを設ける場合、その下側のメダル払出口との距離を小さくするために、表示演出装置
を下側に配置し、その上にドラム部を配置するのが好ましい。
【００１９】
ホッパーを機内上部に配置すること伴って、メダル投入口から投入されたメダルを貯留
する手段が必要になる。この手段としては、脱着式のメダルタンクをメダル投入口より下
方の機体内部に設けるのが好ましい。メダルタンクにメダルが溜まると、メダルタンクを
機体内から取り出し、その中のメダルを同じく機体内のホッパー内に移しかえる。或いは
回収する。
【発明の効果】
【００２０】
本発明の回胴式遊技機は、メダル投入口及びメダル払出口より上方の機体内部に払出装
置付きホッパーを設けたことにより、メダル払出口をメダル投入口と同じ機体正面中段の
操作部に設けた場合にも、メダル押し上げ機構が不要になり、メダル搬送構造の複雑化を
回避でき、遊技機価格の低減を可能にすると共に、メダル押し上げ機構でのメダル詰まり
を防止でき、店員の負担軽減を可能にする。メダル払出口をメダル投入口と同じ機体正面
中段の操作部に設けることにより、メダル受けからメダルを取ってメダル投入する操作が
容易となってメダルを不用意に落とすようなことがなくなり、遊技者の負担軽減が図られ
る。
【発明を実施するための最良の形態】
【００２１】
以下、本発明の実施形態を図面に基づいて説明する。図１は本発明の一実施形態を示す
回動式遊技機の斜視図、図２は同回動式遊技機の正面図、図３は同回動式遊技機の側面図
、図４は同回動式遊技機の平面図であり、いずれも遊技機内部のホッパーを透視して示し
ている。
【００２２】
本実施形態の回胴式遊技機はパチスロ機である。この回胴式遊技機は、下部の架台１０
と、その上に一体的に重ねられた本体２０とからなる。架台１０は直方体形状のボックス
であり、内部に後述するメダルタンクなどを備えている。架台１０の正面は開閉扉１１と
なっており、メダルタンクの出し入れのときになどに開閉操作される。
【００２３】
回動式遊技機の本体２０は、正面が下から上に向かって背面側へ傾斜（後傾）した角箱
状に形成されている。本体２０の最上部の奥行きは架台１０の奥行きより十分に小さく、
最下部の奥行きは架台１０の奥行きと同じである。本体２０の最下部より上の下段部は操
作部として、架台１０の正面から正面側へ三角形状に突出している。
【００２４】
本体２０の正面の三角形状の突出部２１より上の部分は、筐体２０Ａの正面開口部を塞
ぐ前扉２０Ｂである。下から上に向かって背面側へ傾斜（後傾）する前扉２０Ｂは、上縁
部を支点として上に開く上ヒンジ構造であり、下端部中央にロック用の鍵２２を有してい
る。前扉２０Ｂの両側端部は、上端部及び下端部を除いてリブ状に突出している。換言す
れば、前扉２０Ｂの上端部及び下端部を除く部分は、両側縁部に対して奥に窪んでいる。
両側のリブ部の各下端部には、前扉２０Ｂを開放するときに指先を掛ける窪み２３が設け
られている。
【００２５】
筐体２０Ａの上部内にはドラム部が収容されている。ドラム部は、横に並んだ３つの縦
型の回転ドラム、すなわち左ドラム、中ドラム及び右ドラムにより構成される。各回転ド
ラムの内部には、回胴部図柄表示ＬＥＤが設けられており、各種演出に応じて発光（点灯
や点滅）又は消灯を行う。
【００２６】
前扉２０Ｂの上部正面には、図柄表示部２４が設けられている。図柄表示部２４は、垂
直面に横に並んだ３つの四角形の窓を形成することにより構成されており、それぞれを通
して有効ライン上に並んだ左ドラム、中ドラム及び右ドラムの各図柄を目視することがで
きる。有効ラインは、ここでは横一本であるが、上段、中段及び下段の横三本と斜め二本
の組合せとすることもできる。
【００２７】
前扉２０Ｂの図柄表示部２４より下には、ＬＣＤ（液晶ディスプレイ）、ＰＤＰ（プラ
ズマ・ディスプレイ・パネル）又は有機ＥＬ（エレクトロ・ルミネッセンス）などのＦＰ
Ｄ（フラット・パネル・ディスプレイ）からなる演出表示部２５が設けられている。演出
表示部２５は、回胴遊技に関する各種映像演出や所要の情報の告知等を行うようになって
おり、遊技者から見やすいように、本体２０の正面の中段部に位置してその正面の略半分
を占めており、かつ下から上に向かって背面側へ傾斜（後傾）している。所要の情報とは
、クレジット枚数、メダル払出累計枚数等である。
【００２８】
前扉２０Ｂの下端部から本体２０の突出部２１の上面にかけての部分が操作部２６であ
る。操作部２６は、回動式遊技機の全体から見た場合は操作しやすい機器正面の中段部に
位置しており、手前に向かって下方へ緩やかに傾斜している。操作部２６の上端部の右端
にはメダル投入口２６ａが設けられている。メダル投入口２６ａの下にはカップ状のメダ
ル受け２６ｂが設けられている。メダル受け２６ｂは本体２０の両側部を除く部分に横長
の設けられている。メダル受け２６ｂの左側の側端部には灰皿２６ｃが設けられている。
メダル受け２６ｂの背面中央部には四角形のメダル払出口２６ｄが設けられている。
【００２９】
操作部２３の正面側の端部は操作パネル２６ｅである。操作パネル２６ｅは略水平であ
り、本体２０の両側端部を除く略全幅にわたって設けられている。この操作パネル２６ｅ
には、１ベッドボタン、マックスベッドボタン、スタートレバーに代わるスタートボタン
、３つのドラムに対応するドラム停止ボタン、清算ボタン及び投入メダル詰まり返却ボタ
ンなどの操作ボタン類が略横一列に並んで集中的に設けられている。
【００３０】
筐体２０Ａ内の中段部にはホッパー２０Ｃが設けられている。ホッパー２０ＣはＦＰＤ
（フラット・パネル・ディスプレイ）からなる演出表示部２５の裏側に、ドラム部の下側
に位置して配置されている。ＦＰＤ（フラット・パネル・ディスプレイ）からなる演出表
示部２５は厚みが薄く、傾斜（後傾）を考慮しても裏側に十分な空間を確保する。この空
間を利用してホッパー２０Ｃは配置されているのである。
【００３１】
ホッパー２０Ｃはメダルをストック（貯留）する本体部２７とその下のメダル払出装置
２８とからなる。本体部２７は上面が全面的に開放した容器であって、大量のメダルをス
トック（貯留）することができ、その下部は下方に向かって絞られた構造になっている。
ホッパー２０Ｃの下部に付設されたメダル払出装置２８は、ドラム部において成立した役
（有効ライン上に沿った図柄に対応する役）に対応する枚数のメダルを払い出す。メダル
払出装置２８から排出されたメダルは、図示されない重力降下式のガイドに案内されて、
ホッパー２０Ｃより下のメダル払出口２６ｄからメダル受け２６ｂに排出される。
【００３２】
一方、操作部２６のメダル投入口２６ａから投入されたメダルは、メダルセレクタによ
り枚数、真贋等を検知されて架台１０内のメダルタンクに自重により投入されストック（
貯留）される。
【００３３】
以上の如く構成された本実施形態の回動式遊技機の機能は以下のとおりである。
【００３４】
遊技者は、本体２０の操作部２６に設けられたメダル投入口２６ａからメダルを投入す
る。投入されたメダルはカウントされ、最大５０枚までクレジットされる。遊技の際には
、遊技者は操作パネル２６ｅに設けられたベッドボタンを押し、遊技メダルの枚数を設定
する。設定された遊技メダルの枚数がクレジット数から差し引かれる。これでゲームスタ
ンバイ状態となり、この状態で操作部２６に設けられたスタートボタンを押すことにより
図柄変動ゲームが開始される。
【００３５】
図柄変動ゲームではゲーム開始と同時に内部抽選が実施される。またドラム部が回転を
開始する。この状態で遊技者は、操作パネル２６ｅに設けられたストップボタンを押す。
ストップボタンは、ドラム部における３個のドラムに対応しており、ストップボタンが押
されたタイミングで対応するドラムを停止させる。ただし、ドラムの停止位置は、基本的
に内部抽選結果に支配される。
【００３６】
図柄表示部２４における有効ライン上に図柄が揃い役が成立すると、その成立役に対応
する枚数のメダルがホッパー２０Ｃから排出される。また、成立役によってはビッグボー
ナスゲームなどの特別ゲームに突入する。ホッパー２０Ｃから排出されたメダルは、重力
により本体２０内のメダル搬送路を落下し、操作部２６におけるメダル払出口２６ｄから
メダル受け２６ｂに排出される。一方、メダル投入口２６ａから本体２０内に投入された
メダルは、重力により本体２０内及び架台１０内のメダル搬送路を落下し、架台１０内の
メダルタンクに投入され溜まる。
【００３７】
図柄変動ゲームを繰り返すにつれて、メダル受け２６ｂにメダルが溜まる。遊技者は、
メダル受け２６ｂに溜まったメダルを逐次メダル投入口２６ａから本体２０内に投入する
が、メダル受け２６ｂもメダル投入口２６ａも共に操作部２６に設けられ接近している。
そして、操作部２６は遊技機正面の最も操作しやすい中段部に位置し、しかも正面側へ突
出して緩やかな傾斜面になっている。このため、メダル受け２６ｂからメダル投入口２６
ａへのメダル移し替え操作が簡単となり、その移し替えの際にメダルを不用意に落とすと
いった事態が回避される。すなわち、メダル受け２６ｂ内のメダルを取り扱い安い上に、
直接目視が可能であり、メダル投入口２６ａとも近く、移し替え安いのである。
【００３８】
また、メダル払出口２６ｄ及びメダル受け２６ｂが遊技機正面の中段部にあるにもかか
わらず、ホッパー２０Ｃはそれより高い位置にあるため、重力を利用してホッパー２０Ｃ
からメダル払出口２６ｄへのメダル搬送を行うことができる。この重力搬送のため、この
メダル搬送が非常にスムーズとなり、搬送路におけるメダル詰まりが防止されると共に、
メダル押し上げ機構が不要となる。メダル押し上げ機構が不要となることにより、メダル
の傷みや磨耗が抑制され、この点からもメダル詰まりの防止が図られる。そして、メダル
詰まり回数が減ることにより、店員が前扉２０Ｂを開いて詰まりを解消する手数が減り、
店員の負担が軽減される。
【００３９】
また、メダル投入口２６ａから機内に投入されたメダルについても、下方の架台１０内
のメダルタンクに重力を利用して搬入される。したがって、このメダルについても詰まり
、傷み、磨耗が抑制され、これもメダル詰まりの防止に寄与する。メダルタンクが一杯に
なると、架台１０の正面の開閉扉１１を開け、メダルタンクを取り出してタンク内のメダ
ルを回収する。或いは、前扉２０Ｂを開けてタンク内のメダルをホッパー２０Ｃ内に投入
する。
【図面の簡単な説明】
【００４０】
【図１】本発明の一実施形態を示す回動式遊技機の斜視図である。
【図２】同回動式遊技機の正面図である。
【図３】同回動式遊技機の側面図である。
【図４】同回動式遊技機の平面図である。
【符号の説明】
【００４１】
１０  架台
１１  開閉扉
２０  本体
２０Ａ  筐体
２０Ｂ  前扉
２０Ｃ  ホッパー
２１  突出部
２２  鍵
２３  窪み
２４  図柄表示部
２５  演出表示部
２６  操作部
２６ａ  メダル投入口
２６ｂ  メダル受け
２６ｃ  灰皿
２６ｄ  メダル払出口
２６ｅ  操作パネル
２７  ホッパー２０Ｃの本体部
２８  メダル払出装置
【図１】
2008093422.tif 000003
【図２】
2008093422.tif 000004
【図３】
2008093422.tif 000005
【図４】
2008093422.tif 000006
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
メダル投入口からメダルが賭けられた状態でスタートレバーが操作されることにより図柄変動ゲームが開始され、ストップボタン操作により図柄変動が停止したときに有効ライン上に成立した図柄パターンに応じてメダルが払い出されると共に、内部にメダルタンクを備える下部の架台の上に一体的に重ねられる回胴式遊技機において、
前記回胴式遊技機の筐体の正面に設けられた三角形状の突出部より上の部分には、前記筐体の正面開口部を塞ぎ、下から上に向かって背面側へ傾斜し、前記筐体の上縁部を支点として上に開く上ヒンジ構造で、両側端部がリブ状に突出する前扉が設けられており、
前記筐体の上部内にはドラム部が収容され、前記前扉の上部正面に設けられた図柄表示部から前記ドラム部の各図柄を目視することができ、
前記図柄表示部より下で且つ前記筐体の正面の中段部には、各種映像演出や所要の情報の告知を行う演出表示部が設けられており、
前記突出部の上面に操作部が設けられており、
前記操作部の上端部にメダル投入口が設けられており、
前記メダル投入口の下にカップ状で横長のメダル受けが設けられており、
前記操作部の正面側の端部には操作ボタン類が並んで設けられた操作パネルが設けられており、
前記筐体内の中段部で且つ背面側へ傾斜した前記演出表示部の裏側には、メダルをストックする本体部とその下のメダル払出装置とからなるホッパーが設けられており、
前記メダル払出装置から排出されたメダルは、重力降下式のガイドに案内されて、前記メダル受けのメダル払出口に排出される一方、前記メダル投入口から投入されたメダルはメダルセレクタにより枚数と真贋が検知されて前記架台内の前記メダルタンクに自重により投入されて貯留される一方、前記メダル投入から回胴式遊技機本体内に投入されたメダルは重力により本体内及び架台内のメダル搬送路を落下し、前記架台内のメダルタンクに投入され溜まること、
を特徴とする回動式遊技機。
【手続補正２】
【補正対象書類名】明細書
【補正対象項目名】００１３
【補正方法】変更
【補正の内容】
【００１３】
上記目的を達成するために、本発明の回胴式遊技機は、メダル投入口からメダルが賭けられた状態でスタートレバーが操作されることにより図柄変動ゲームが開始され、ストップボタン操作により図柄変動が停止したときに有効ライン上に成立した図柄パターンに応じてメダルが払い出されると共に、内部にメダルタンクを備える下部の架台の上に一体的に重ねられる回胴式遊技機において、前記回胴式遊技機の筐体の正面に設けられた三角形状の突出部より上の部分には、前記筐体の正面開口部を塞ぎ、下から上に向かって背面側へ傾斜し、前記筐体の上縁部を支点として上に開く上ヒンジ構造で、両側端部がリブ状に突出する前扉が設けられており、前記筐体の上部内にはドラム部が収容され、前記前扉の上部正面に設けられた図柄表示部から前記ドラム部の各図柄を目視することができ、
前記図柄表示部より下で且つ前記筐体の正面の中段部には、各種映像演出や所要の情報の告知を行う演出表示部が設けられており、前記突出部の上面に操作部が設けられており、前記操作部の上端部にメダル投入口が設けられており、前記メダル投入口の下にカップ状で横長のメダル受けが設けられており、前記操作部の正面側の端部には操作ボタン類が並んで設けられた操作パネルが設けられており、前記筐体内の中段部で且つ背面側へ傾斜した前記演出表示部の裏側には、メダルをストックする本体部とその下のメダル払出装置とからなるホッパーが設けられており、前記メダル払出装置から排出されたメダルは、重力降下式のガイドに案内されて、前記メダル受けのメダル払出口に排出される一方、前記メダル投入口から投入されたメダルはメダルセレクタにより枚数と真贋が検知されて前記架台内の前記メダルタンクに自重により投入されて貯留される一方、前記メダル投入から回胴式遊技機本体内に投入されたメダルは重力により本体内及び架台内のメダル搬送路を落下し、前記架台内のメダルタンクに投入され溜まることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】